【手続補正書】
【提出日】平成26年7月4日(2014.7.4)
【手続補正１】
【補正対象書類名】特許請求の範囲
【補正対象項目名】全文
【補正方法】変更
【補正の内容】
【特許請求の範囲】
【請求項１】
AC入力電圧VinをDC出力電圧Voutに変換するためのAC/DC変換器であって：
インダクタと；
Vin>Voutの時にAC入力電圧の正の半サイクルの間のみ、エネルギの格納と電流の供給との間で前記インダクタを交互に設定する第1および第2のスイッチと；
Vin<-Voutの時にAC入力電圧の負の半サイクルの間のみ、エネルギの格納と電流の供給との間で前記インダクタを交互に設定する第3および第4のスイッチと；
前記第1、第2、第3および第4のスイッチを制御するように構成されたコントローラと；
を具備することを特徴とするAC/DC変換器。
【請求項２】
前記コントローラは、AC入力電圧VinとDC出力電圧Voutとを比較するように構成された比較回路を含むことを特徴とする請求項1に記載のAD/DC変換器。
【請求項３】
前記コントローラはまた、AC入力電圧VinとDC出力電圧Voutとの比較に依存して、前記第1、第2、第3および第4のスイッチのスイッチングを制御するスイッチ制御回路を含むことを特徴とする請求項2に記載のAC/DC変換器。
【請求項４】
前記コントローラは、DC出力電圧Voutと比較したAC入力電圧Vinに依存して、前記第1、第2、第3および第4のスイッチのスイッチングを制御するスイッチ制御回路を含むことを特徴とする請求項1に記載のAC/DC変換器。
【請求項５】
Vin>Voutの時にAC入力電圧の正の半サイクルの間のみ、前記コントローラは、周波数ｆおよびデューティサイクルDで前記第1のスイッチをオンおよびオフに切り替えるように構成され、周波数ｆおよびデューティサイクル（1-D）で前記第2のスイッチをオンおよびオフに切り替えるように構成されることを特徴とする請求項1に記載のAC/DC変換器。
【請求項６】
Vin<-Voutの時にAC入力電圧の負の半サイクルの間のみ、前記コントローラは、周波数ｆおよびデューティサイクルDで前記第3のスイッチをオンおよびオフに切り替えるように構成され、周波数ｆおよびデューティサイクル（1-D）で前記第4のスイッチをオンおよびオフに切り替えるように構成されることを特徴とする請求項5に記載のAC/DC変換器。
【請求項７】
前記コントローラは、Dを調節し、DC出力電圧Voutを調整するように構成されたパルス幅変調器を含むことを特徴とする請求項6に記載のAC/DC変換器。
【請求項８】
AC入力電圧VinをDC出力電圧Voutに変換するためのAC/DC変換器であって：
インダクタと；
前記インダクタに選択的に接続されるキャパシタと；
複数のスイッチと；
Vin>Voutの時の間にバック変換器として動作するように、複数のスイッチ、インダクタおよびキャパシタを設定し、Vin<-Voutの時の間に反転バック変換器として動作するように、複数のスイッチ、インダクタおよびキャパシタを設定するコントローラと；
を具備することを特徴とするAC/DC変換器。
【請求項９】
前記複数のスイッチは、Vin>Voutの時の間のみバック変換器のバックスイッチとして機能をする第1および第2のスイッチを含むことを特徴とする請求項8に記載のAC/DC変換器。
【請求項１０】
前記複数のスイッチはまた、Vin<-Voutの時の間のみ反転バック変換器の反転バックスイッチとして機能をする第3および第4のスイッチを含むことを特徴とする請求項9に記載のAC/DC変換器。
【請求項１１】
前記複数のスイッチは、第1、第2、第3および第4のスイッチを含み、前記コントローラは：
Vin>Voutの時の間のみ、共通の周波数fと、各々デューティサイクルDおよびデューティサイクル（1-D）とで前記第1および第2のスイッチをオンおよびオフに切り替え；
Vin<-Voutの時の間のみ、共通の周波数fと、各々デューティサイクルDおよびデューティサイクル（1-D）とで前記第3および第4のスイッチをオンおよびオフに切り替える；
ように構成されることを特徴とする請求項8に記載のAC/DC変換器。
【請求項１２】
前記コントローラは、第1および第3のスイッチのデューティサイクルDを調節することによって、および第2および第4のスイッチのデューティサイクル（1-D）を調節することによってDC出力電圧を調整するように構成されたパルス幅変調器を含むことを特徴とする請求項11に記載のAC/DC変換器。
【請求項１３】
AC入力電圧VinをDC出力電圧Voutに変換する方法であって：
バック変換器を使用してDC出力電圧Voutへ正の半サイクルの間にAC入力電圧を変換する過程と；
反転バック変換器を使用してDC出力電圧Voutへ負の半サイクルの間にAC入力電圧を変換する過程と；
を具備することを特徴とする方法。
【請求項１４】
正および負の半サイクルの間にAC入力電圧をDC出力電圧に変換する過程は、前記バック変換器および前記反転バック変換器のスイッチのデューティサイクルを調節することによって実行されることを特徴とする請求項13に記載の方法。
【請求項１５】
バック変換器を使用してDC出力電圧VoutへAC入力電圧を正の半サイクルで変換する過程は：
Vin>Voutの時を判断する過程と；
Vin>Voutであると判断される間、AC入力電圧をDC出力電圧Voutに変換する過程と；
を具備することを特徴とする請求項13に記載の方法。
【請求項１６】
反転バック変換器を使用してDC出力電圧VoutへAC入力電圧を負の半サイクルで変換する過程は：
Vin<-Voutの時を判断する過程と；
Vin<-Voutであると判断される間、AC入力電圧をDC出力電圧Voutに変換する過程と；
を具備することを特徴とする請求項13に記載の方法。
【請求項１７】
バック変換器および反転バック変換器は、共通のインダクタを共有する結合されたバックおよび反転バック変換回路を具備することを特徴とする請求項13に記載の方法。
【請求項１８】
AC入力電圧VinをDC出力電圧Voutに変換するためのAC/DC変換器であって：
Vin>Voutの時およびVin<-Voutの時を判断するための手段と；
Vin>Voutの時の間、DC出力電圧Voutへ正の半サイクルの間にAC入力電圧を変換するための第1の変換手段と；
Vin<-Voutの時の間、DC出力電圧Voutへ負の半サイクルの間にAC入力電圧を変換するための第2の変換手段と；
を具備することを特徴とするAC/DC変換器。
【請求項１９】
前記第1の変換手段および前記第2の変換手段を制御するための手段をさらに具備することを特徴とする請求項18に記載のAC/DC変換器。
【請求項２０】
前記第1の変換手段は、第1のスイッチング手段を含み；
前記第2の変換手段は、第2のスイッチング手段を含み；
前記制御するための手段は、一定のレベルでDC出力電圧Voutを維持するために、前記第1および第2のスイッチング手段を制御するように構成されることを特徴とする請求項19に記載のAC/DC変換器。
【請求項２１】
AC入力電圧VinをDC出力電圧Voutに変換するためのAC/DC変換器であって：
インダクタと；
前記AC入力電圧の正の半サイクルの間にAC入力電圧に対して前記インダクタを交互に接続および分離するように構成された第1の複数のスイッチと；
前記AC入力電圧の負の半サイクルの間に前記AC入力電圧に対して前記インダクタを交互に接続および分離するように構成された第2の複数のスイッチと；
を具備することを特徴とするAC/DC変換器。
【請求項２２】
前記AC/DC変換器は、ブリッジ整流器を使用することなく、AC入力電圧VinをDC出力電圧Voutに変換するように構成されることを特徴とする請求項21に記載のAC/DC変換器。
【請求項２３】
前記AC/DC変換器は、変圧器を使用することなく、AC入力電圧をDC出力電圧Voutに変換するように構成されることを特徴とする請求項21に記載のAC/DC変換器。
【請求項２４】
前記インダクタおよび前記第1の複数のスイッチは、Vin>Voutの時の間にバック変換器として構成されることを特徴とする請求項21に記載のAC/DC変換器。
【請求項２５】
前記インダクタおよび前記第2の複数のスイッチは、Vin<-Voutの時の間に反転バック変換器として構成されることを特徴とする請求項21に記載のAC/DC変換器。
【請求項２６】
前記第1および第2の複数のスイッチの全スイッチは、|Vin|<Voutの時の間にオフのままであるように構成されることを特徴とする請求項21に記載のAC/DC変換器。